(57)【要約】【課題】通信装置の設定に関するミスを減らすことができる管理サーバ等を提供する。【解決手段】管理サーバ１０は、ユーザ端末２０から、通信装置４２が設置される基地局４０を特定する第１情報を受信する受信部１１と、第１情報に基づいて、通信装置４２の設定に関する第２情報を取得する取得部１５ａと、第２情報に基づいて、通信装置４２の設定ファイルを生成する生成部１５ｂと、設定ファイルをユーザ端末２０に送信する送信部１１と、を備える。【選択図】図１
2020120149.tif 000002
【特許請求の範囲】
【請求項１】
ユーザ端末から、通信装置が設置される基地局を特定する第１情報を受信する受信部と、
前記第１情報に基づいて、前記通信装置の設定に関する第２情報を取得する取得部と、
前記第２情報に基づいて、前記通信装置の設定ファイルを生成する生成部と、
前記設定ファイルを前記ユーザ端末に送信する送信部と、
を備える管理サーバ。
【請求項２】
前記第１情報を受信した場合に、前記基地局が既存局であるか否かを判定する判定部と、
前記基地局が既存局である場合に、前記通信装置の設定が重複していないか確認する確認部と、をさらに備える、
請求項１に記載の管理サーバ。
【請求項３】
前記確認部は、前記基地局が既存局である場合に、前記基地局のトラフィックに基づき、前記基地局が廃止されていないか確認する、
請求項２に記載の管理サーバ。
【請求項４】
前記取得部は、前記第１情報及び初期化のリクエストに基づいて、前記通信装置の初期化に関する第３情報を取得し、
前記生成部は、前記第３情報に基づいて、前記通信装置の初期化ファイルを生成し、
前記送信部は、前記初期化ファイルを前記ユーザ端末に送信する、
請求項１から３のいずれか一項に記載の管理サーバ。
【請求項５】
前記通信装置は、Ｌ２スイッチ及び無線エントランス装置の少なくともいずれか一方である、
請求項１から４のいずれか一項に記載の管理サーバ。
【請求項６】
ユーザ端末から、通信装置が設置される基地局を特定する第１情報を受信することと、
前記第１情報に基づいて、前記通信装置の設定に関する第２情報を取得することと、
前記第２情報に基づいて、前記通信装置の設定ファイルを生成することと、
前記設定ファイルを前記ユーザ端末に送信することと、
を含む管理方法。
【請求項７】
通信装置が設置される基地局を特定する入力を受け付ける入力部と、
前記基地局を特定する第１情報を管理サーバに送信する第１送信部と、
前記管理サーバから、前記通信装置の設定ファイルを受信する第１受信部と、
前記設定ファイルを前記通信装置に送信する第２送信部と、
前記通信装置から、前記設定ファイルが投入された前記通信装置のステータスを受信する第２受信部と、
を備えるユーザ端末。
【請求項８】
前記第２送信部及び前記第２受信部は、前記通信装置との接続確認を行う、
請求項７に記載のユーザ端末。
【請求項９】
前記第２送信部及び前記第２受信部は、前記通信装置に接続されたシリアル通信を無線通信に変換する変換器を介して、無線通信により前記通信装置と通信を行う、
請求項７又は８に記載のユーザ端末。
【請求項１０】
前記第１送信部は、前記第１情報及び初期化のリクエストを前記管理サーバに送信し、
前記第１受信部は、前記管理サーバから、前記通信装置の初期化ファイルを受信し、
前記第２送信部は、前記初期化ファイルを前記通信装置に送信する、
請求項７から９のいずれか一項に記載のユーザ端末。
【請求項１１】
通信装置が設置される基地局を特定する入力を受け付けることと、
前記基地局を特定する第１情報を管理サーバに送信することと、
前記管理サーバから、前記通信装置の設定ファイルを受信することと、
前記設定ファイルを前記通信装置に送信することと、
前記通信装置から、前記設定ファイルが投入された前記通信装置のステータスを受信することと、
を含む設定方法。
【請求項１２】
入力部、第１送信部、第１受信部、第２送信部、第２受信部及び演算部を備えるユーザ端末の前記演算部を、
前記入力部によって、通信装置が設置される基地局を特定する入力を受け付け、
前記第１送信部によって、前記基地局を特定する第１情報を管理サーバに送信し、
前記第１受信部によって、前記管理サーバから、前記通信装置の設定ファイルを受信し、
前記第２送信部によって、前記設定ファイルを前記通信装置に送信し、
前記第２受信部によって、前記通信装置から、前記設定ファイルが投入された前記通信装置のステータスを受信する、
ように機能させる設定プログラム。
【発明の詳細な説明】
【技術分野】
【０００１】
本発明は、管理サーバ、管理方法、ユーザ端末、設定方法及び設定プログラムに関する。
【背景技術】
【０００２】
従来、通信基地局を新たに開局する場合、作業員が現場に行き、通信装置を設置して、適切に通信が行えるように通信装置の設定を行うことがある。通信装置の設定は、適切な設定ファイルをインストールすることで行われる。
【０００３】
通信装置の設定を更新することに関して、下記特許文献１には、コンフィグ情報出力要求信号が受信された場合にルータの識別ＩＤに基づいて新たに設定されるコンフィグ情報と現在設定されているコンフィグ情報の差分を抽出し、差分に含まれるコンフィグ情報の設定項目を入力モードごとに分類して、差分に含まれる設定項目に対応する入力コマンドとモード遷移コマンドとを発行するコンフィグ情報管理装置が記載されている。
【先行技術文献】
【特許文献】
【０００４】
【特許文献１】特開２００６−３０３９１４号公報
【発明の概要】
【発明が解決しようとする課題】
【０００５】
基地局に設置した通信装置に設定ファイルをインストールする場合、作業員が現地にコンピュータを持ち込み、コンピュータを通信装置に接続して、事前に準備された手順書に従って設定ファイルを生成し、通信装置に投入することがあった。しかしながら、手順書に誤りがあったり、作業員が手順書を読み違えて作業してしまったり、手順書を取り違えたりするといった様々なミス要因があった。
【０００６】
このような通信装置の設定は、年間数千台について行うことがあり、単純なミスによる遅延であっても、累積損失は多大なものとなる。
【０００７】
そこで、本発明は、通信装置の設定に関するミスを減らすことができる管理サーバ、管理方法、ユーザ端末、設定方法及び設定プログラムを提供する。
【課題を解決するための手段】
【０００８】
本発明の一態様に係る管理サーバは、ユーザ端末から、通信装置が設置される基地局を特定する第１情報を受信する受信部と、第１情報に基づいて、通信装置の設定に関する第２情報を取得する取得部と、第２情報に基づいて、通信装置の設定ファイルを生成する生成部と、設定ファイルをユーザ端末に送信する送信部と、を備える。
【０００９】
この態様によれば、現場の作業員が通信装置を設置する基地局を特定するだけで適切な設定ファイルを入手することができ、通信装置の設定に関するミスを減らすことができる。
【００１０】
上記態様において、第１情報を受信した場合に、基地局が既存局であるか否かを判定する判定部と、基地局が既存局である場合に、通信装置の設定が重複していないか確認する確認部と、をさらに備えてもよい。
【００１１】
この態様によれば、通信装置の設定が重複していないか確認することで、誤設定を防止することができる。
【００１２】
上記態様において、確認部は、基地局が既存局である場合に、基地局のトラフィックに基づき、基地局が廃止されていないか確認してもよい。
【００１３】
この態様によれば、通信装置のトラフィックが極端に変動していないか確認することで、廃止された基地局に関する誤設定を防止することができる。
【００１４】
上記態様において、取得部は、第１情報及び初期化のリクエストに基づいて、通信装置の初期化に関する第３情報を取得し、生成部は、第３情報に基づいて、通信装置の初期化ファイルを生成し、送信部は、初期化ファイルをユーザ端末に送信してもよい。
【００１５】
この態様によれば、現場の作業員が通信装置を設置する基地局を特定し、初期化の希望を入力するだけで適切な初期化ファイルを入手することができ、通信装置の初期化に関するミスを減らすことができる。
【００１６】
上記態様において、通信装置は、Ｌ２スイッチ及び無線エントランス装置の少なくともいずれか一方であってもよい。
【００１７】
本発明の他の態様に係る管理方法は、ユーザ端末から、通信装置が設置される基地局を特定する第１情報を受信することと、第１情報に基づいて、通信装置の設定に関する第２情報を取得することと、第２情報に基づいて、通信装置の設定ファイルを生成することと、設定ファイルをユーザ端末に送信することと、を含む。
【００１８】
この態様によれば、現場の作業員が通信装置を設置する基地局を特定するだけで適切な設定ファイルを入手することができ、通信装置の設定に関するミスを減らすことができる。
【００１９】
本発明の他の態様に係るユーザ端末は、通信装置が設置される基地局を特定する入力を受け付ける入力部と、基地局を特定する第１情報を管理サーバに送信する第１送信部と、管理サーバから、通信装置の設定ファイルを受信する第１受信部と、設定ファイルを通信装置に送信する第２送信部と、通信装置から、設定ファイルが投入された通信装置のステータスを受信する第２受信部と、を備える。
【００２０】
この態様によれば、現場の作業員が通信装置を設置する基地局を特定するだけで適切な設定ファイルを入手することができ、通信装置の設定に関するミスを減らすことができる。
【００２１】
上記態様において、第２送信部及び第２受信部は、通信装置との接続確認を行ってもよい。
【００２２】
この態様によれば、ユーザ端末と通信装置との間の通信が確立されているか事前に確認することができ、円滑な作業を支援することができる。
【００２３】
上記態様において、第２送信部及び第２受信部は、通信装置に接続されたシリアル通信を無線通信に変換する変換器を介して、無線通信により通信装置と通信を行ってもよい。また、第２送信部及び第２受信部は、通信装置に接続された有線による接続方式を無線方式に変換する変換器を介して、無線通信により通信装置と通信を行ってもよい。
【００２４】
この態様によれば、現場で長尺の有線通信ケーブルを接続する手間が省かれ、作業を簡略化することができる。
【００２５】
上記態様において、第１送信部は、第１情報及び初期化のリクエストを管理サーバに送信し、第１受信部は、管理サーバから、通信装置の初期化ファイルを受信し、第２送信部は、初期化ファイルを通信装置に送信してもよい。
【００２６】
この態様によれば、現場の作業員が通信装置を設置する基地局を特定し、初期化の希望を入力するだけで適切な初期化ファイルを入手することができ、通信装置の初期化に関するミスを減らすことができる。
【００２７】
本発明の他の態様に係る設定方法は、通信装置が設置される基地局を特定する入力を受け付けることと、基地局を特定する第１情報を管理サーバに送信することと、管理サーバから、通信装置の設定ファイルを受信することと、設定ファイルを通信装置に送信することと、通信装置から、設定ファイルが投入された通信装置のステータスを受信することと、を含む。
【００２８】
この態様によれば、現場の作業員が通信装置を設置する基地局を特定するだけで適切な設定ファイルを入手することができ、通信装置の設定に関するミスを減らすことができる。
【００２９】
本発明の他の態様に係る設定プログラムは、入力部、第１送信部、第１受信部、第２送信部、第２受信部及び演算部を備えるユーザ端末の演算部を、入力部によって、通信装置が設置される基地局を特定する入力を受け付け、第１送信部によって、基地局を特定する第１情報を管理サーバに送信し、第１受信部によって、管理サーバから、通信装置の設定ファイルを受信し、第２送信部によって、設定ファイルを通信装置に送信し、第２受信部によって、通信装置から、設定ファイルが投入された通信装置のステータスを受信する、ように機能させる。
【００３０】
この態様によれば、現場の作業員が通信装置を設置する基地局を特定するだけで適切な設定ファイルを入手することができ、通信装置の設定に関するミスを減らすことができる。
【発明の効果】
【００３１】
本発明によれば、通信装置の設定に関するミスを減らすことができる管理サーバ、管理方法、ユーザ端末、設定方法及び設定プログラムを提供することができる。
【図面の簡単な説明】
【００３２】
【図１】本発明の実施形態に係る管理システムの概要を示す図である。
【図２】本実施形態に係る管理サーバの構成を示す図である。
【図３】本実施形態に係るユーザ端末の構成を示す図である。
【図４】本実施形態に係る管理サーバとユーザ端末により実行される設定処理のフローチャートである。
【図５】本実施形態に係る管理サーバとユーザ端末により実行される初期化処理のフローチャートである。
【図６】本実施形態に係るユーザ端末により実行される設定アプリケーションの第１画面例である。
【図７】本実施形態に係るユーザ端末により実行される設定アプリケーションの第２画面例である。
【図８】本実施形態に係るユーザ端末により実行される設定アプリケーションの第３画面例である。
【図９】本実施形態に係るユーザ端末により実行される設定アプリケーションの第４画面例である。
【図１０】本実施形態に係るユーザ端末により実行される設定アプリケーションの第５画面例である。
【図１１】本実施形態に係る管理サーバにより実行される確認処理のフローチャートである。
【発明を実施するための形態】
【００３３】
添付図面を参照して、本発明の実施形態について説明する。なお、各図において、同一の符号を付したものは、同一又は同様の構成を有する。
【００３４】
図１は、本発明の実施形態に係る管理システム１００の概要を示す図である。管理システム１００は、管理サーバ１０、ユーザ端末２０、ＭＳＡＮ（Multi-Service Access Node）３０及び基地局４０を含む。ユーザ端末２０及びＭＳＡＮ３０は、有線又は無線の通信ネットワークＮにより管理サーバ１０と各々に通信可能に接続される。
【００３５】
管理サーバ１０は、汎用のコンピュータで構成され、ユーザ端末２０からの要求に応じて、基地局４０に設置される通信装置の設定に関する情報を取得し、通信装置の設定ファイル（コンフィグファイル）を生成する。生成された設定ファイルは、ユーザ端末２０に送信される。
【００３６】
ユーザ端末２０は、スマートフォンやタブレット端末で構成され、管理サーバ１０に対して基地局を特定する第１情報を送信し、管理サーバ１０から、通信装置の設定ファイルを受信する。ユーザ端末２０は、無線通信により設定ファイルを通信装置に送信する。
【００３７】
ＭＳＡＮ３０は、各種の通信回線と接続される装置であり、例えば通信事業者の局舎内に設置される。ＭＳＡＮ３０には、１又は複数の光回線が接続され、光回線終端装置４１を介して１又は複数の通信装置が接続される。ＭＳＡＮ３０には、１又は複数の通信装置が直列的に接続されてもよいし、並列的に接続されてもよい。
【００３８】
基地局４０には、光回線終端装置４１及びＬ２スイッチ４２が設置される。Ｌ２スイッチは、本発明の通信装置の一例である。他の例としては、例えば基地局４０には、通信装置として無線エントランス装置が設置されてもよい。また、通信装置は、衛星回線用の装置であってもよい。
【００３９】
通信事業者が新たに基地局４０を開局する場合、作業員が基地局４０に行き、Ｌ２スイッチ４２等の通信装置を設置する。その際、Ｌ２スイッチ４２の設定を行う必要がある。ここで、Ｌ２スイッチ４２は、メーカごとに設定が異なる場合がある。本実施形態に係る管理システム１００では、作業員がユーザ端末２０を操作し、管理サーバ１０から設定ファイルをダウンロードして、無線通信によってＬ２スイッチ４２に設定ファイルをインストールする。これにより、Ｌ２スイッチ４２のメーカごとに適切な設定ファイルがインストールされる。なお、通信装置が無線エントランス装置の場合も同様であり、本実施形態に係る管理システム１００によれば、無線エントランス装置のメーカごとに適切な設定ファイルをインストールすることができる。
【００４０】
図２は、本実施形態に係る管理サーバ１０の構成を示す図である。管理サーバ１０は、送受信部１１、記憶部１２、入力部１３、出力部１４及び演算部１５を備える。送受信部１１、記憶部１２、入力部１３、出力部１４及び演算部１５は、バスを介して相互にデータ送受信可能に接続される。なお、本例では管理サーバ１０が一台のコンピュータで構成される場合について説明するが、管理サーバ１０は、複数のコンピュータが組み合わされて実現されてもよい。また、図２で示す構成は一例であり、管理サーバ１０はこれら以外の構成を有してもよいし、これらの構成のうち一部を有さなくてもよい。
【００４１】
送受信部１１は、管理サーバ１０を他の機器に接続するインターフェースである。送受信部１１は、インターネット等の通信ネットワークＮに接続されてよい。また、送受信部１１は、ユーザ端末２０から、通信装置が設置される基地局４０を特定する第１情報を受信する受信部及び設定ファイルをユーザ端末２０に送信する送信部として動作する。
【００４２】
記憶部１２は、情報を電磁的方法で記憶するハードウェアであり、例えば半導体記憶素子で構成されてよい。記憶部１２は、演算部１５が実行する管理プログラムや基地局４０に関する情報を記憶してよい。なお、これらは例示であって、記憶部１２には、これら以外のデータが記憶されていてもよいし、これらの一部が記憶されていなくてもよい。
【００４３】
入力部１３は、ユーザからデータの入力を受け付けるものであり、例えば、キーボードやタッチパネルを含んでよい。
【００４４】
出力部１４は、演算部１５による演算結果を出力するものであり、例えば、ＬＣＤ（Liquid Crystal Display）により構成されてよい。出力部１４は、例えばユーザ端末２０に送信する設定ファイルを表示してよい。
【００４５】
演算部１５は、記憶部１２に記憶されたプログラムの実行に関する制御やデータの演算、加工を行うＣＰＵ（Central Processing Unit）で構成されてよい。演算部１５は、基地局４０を特定する第１情報を受け付けて、通信装置の設定ファイルを生成するプログラム（管理プログラム）を実行する。演算部１５は、送受信部１１及び入力部１３から種々のデータを受け取り、データの演算結果を出力部１４に出力したり、記憶部１２に格納したりする。
【００４６】
演算部１５は、取得部１５ａ、生成部１５ｂ、判定部１５ｃ及び確認部１５ｄとして動作する。取得部１５ａは、基地局４０を特定する第１情報に基づいて、通信装置の設定に関する第２情報を取得する。ここで、第２情報は、記憶部１２に記憶されていてもよいし、管理サーバ１０とは異なる装置の記憶部に記憶されていてもよい。また、第１情報は、論理回線ＩＤであってよく、第２情報は、通信装置のネットワークリソース情報であってよい。管理サーバ１０は、論理回線ＩＤに基づいて、Ｌ２スイッチ４２のネットワークリソース情報を取得してよい。
【００４７】
生成部１５ｂは、第２情報に基づいて、通信装置の設定ファイルを生成する。生成部１５ｂは、Ｌ２スイッチ４２のネットワークリソース情報に基づいて、Ｌ２スイッチ４２の設定ファイルを生成してよい。具体的には、Ｌ２スイッチ４２のネットワークリソース情報は、ホスト名、ＩＰアドレス、ポートの設定及びＶＬＡＮの設定等を含んでよい。Ｌ２スイッチ４２の設定ファイルがメーカごとに異なる場合、生成部１５ｂは、メーカの仕様に適した設定ファイルを生成してよい。また、生成部１５ｂは、無線エントランス装置の設定ファイルや衛星回線用の装置の設定ファイルを生成してもよく、それらの装置の設定ファイルがメーカごとに異なる場合、メーカの仕様に適した設定ファイルを生成してよい。
【００４８】
判定部１５ｃは、基地局４０を特定する第１情報を受信した場合に、基地局４０が既存局であるか否かを判定する。また、確認部１５ｄは、基地局４０が既存局である場合に、通信装置の設定が重複していないか確認する。確認部１５ｄは、通信装置の設定が重複と判定された場合に、ユーザ端末２０に警告を出力したり、管理サーバ１０に警告を出力したりしてよい。このように、通信装置の設定が重複していないか確認することで、誤設定を防止することができる。
【００４９】
また、確認部１５ｄは、基地局４０が既存局である場合に、基地局４０のトラフィックに基づき、基地局４０が廃止されていないか確認する。確認部１５ｄは、例えば、基地局４０の現在のトラフィックが、１ヶ月前のトラフィックより所定割合以上減少している場合でかつ、トラフィック量が極端に少ない場合、基地局４０が廃止されていると判定してよい。確認部１５ｄは、基地局４０が廃止されていると判定された場合に、ユーザ端末２０に警告を出力したり、管理サーバ１０に警告を出力したりしてよい。このように、通信装置のトラフィックが極端に変動していないか確認することで、廃止された基地局４０に関する誤設定を防止することができる。
【００５０】
さらに、取得部１５ａは、基地局４０を特定する第１情報及び初期化のリクエストに基づいて、通信装置の初期化に関する第３情報を取得する。ここで、初期化のリクエストは、初期化ファイルの入手に関する情報であればどのような態様のものであってもよい。そして、生成部１５ｂは、第３情報に基づいて、通信装置の初期化ファイルを生成する。送受信部１１は、初期化ファイルをユーザ端末２０に送信する。このように、現場の作業員が通信装置を設置する基地局４０を特定し、初期化の希望を入力するだけで適切な初期化ファイルを入手することができ、通信装置の初期化に関するミスを減らすことができる。なお、初期化とは、装置設定を工場出荷時の状態にリセットすることであってもよいし、ユーザが規定する初期設定値が投入された状態に設定することであってもよい。
【００５１】
図３は、本実施形態に係るユーザ端末２０の構成を示す図である。ユーザ端末２０は、第１送受信部２１、記憶部２２、入力部２３、出力部２４、演算部２５及び第２送受信部２６を備える。第１送受信部２１、記憶部２２、入力部２３、出力部２４、演算部２５及び第２送受信部２６は、バスを介して相互にデータ送受信可能に接続される。なお、図３で示す構成は一例であり、ユーザ端末２０はこれら以外の構成を有してもよいし、これらの構成のうち一部を有さなくてもよい。
【００５２】
第１送受信部２１は、ユーザ端末２０を他の機器に接続するインターフェースである。第１送受信部２１は、インターネット等の通信ネットワークＮに接続されてよい。また、第１送受信部２１は、基地局４０を特定する第１情報を管理サーバ１０に送信する第１送信部及び管理サーバ１０から、通信装置の設定ファイルを受信する第１受信部として動作する。
【００５３】
記憶部２２は、情報を電磁的方法で記憶するハードウェアであり、例えば半導体記憶素子で構成されてよい。記憶部２２は、演算部２５が実行する設定プログラムや設定ファイルを記憶してよい。なお、これらは例示であって、記憶部２２には、これら以外のデータが記憶されていてもよいし、これらの一部が記憶されていなくてもよい。
【００５４】
入力部２３は、ユーザからデータの入力を受け付けるものであり、例えば、プッシュボタンやタッチパネルを含んでよい。入力部２３は、通信装置が設置される基地局４０を特定する入力を受け付ける。
【００５５】
出力部２４は、演算部２５による演算結果を出力するものであり、例えば、ＬＣＤや有機ＥＬ（Electro-Luminescence）ディスプレイにより構成されてよい。出力部２４は、後述するアプリケーション画面を表示してよい。
【００５６】
演算部２５は、記憶部２２に記憶されたプログラムの実行に関する制御やデータの演算、加工を行うＣＰＵで構成されてよい。演算部２５は、通信装置の設定ファイルを通信装置にインストールするプログラム（設定プログラム）を実行する。演算部２５は、第１送受信部２１、入力部２３及び第２送受信部２６から種々のデータを受け取り、データの演算結果を出力部２４に出力したり、記憶部２２に格納したりする。
【００５７】
第２送受信部２６は、ユーザ端末２０を他の機器に接続するインターフェースである。第２送受信部２６は、設定ファイルを通信装置に送信する第２送信部及び通信装置から、設定ファイルが投入された通信装置のステータスを受信する第２受信部として動作する。
【００５８】
第２送受信部２６は、無線通信インターフェースであってよく、通信装置に接続されたシリアル通信と無線通信を変換する変換器５０を介して、無線通信により通信装置と通信を行ってよい。本例では、変換器５０は、Ｌ２スイッチ４２に接続され、有線による接続方式を無線方式に変換する。変換器５０を介して無線通信を行うことで、現場で長尺の有線通信ケーブルを接続する手間が省かれ、作業を簡略化することができる。
【００５９】
第２送受信部２６は、通信装置との接続確認を行ってよい。第２送受信部２６は、Ｌ２スイッチ４２との無線通信が確立されるか確認する接続確認を行ってよい。これにより、ユーザ端末２０と通信装置との間の通信が確立されているか事前に確認することができ、円滑な作業を支援することができる。
【００６０】
第１送受信部２１は、第１情報及び初期化のリクエストを管理サーバ１０に送信し、管理サーバ１０から、通信装置の初期化ファイルを受信する。また、第２送受信部２６は、初期化ファイルを通信装置に送信する。これにより、現場の作業員が通信装置を設置する基地局４０を特定し、初期化の希望を入力するだけで適切な初期化ファイルを入手することができ、通信装置の初期化に関するミスを減らすことができる。
【００６１】
図４は、本実施形態に係る管理サーバ１０とユーザ端末２０により実行される設定処理のフローチャートである。はじめに、ユーザ端末２０によって、設定アプリケーションにログインする（Ｓ１１）。設定アプリケーションのログインは、ユーザ名及びパスワードを認証することにより行われてよい。
【００６２】
設定アプリケーションにログインした後、ユーザ端末２０は、基地局４０を特定する入力を受け付ける（Ｓ１２）。そして、ユーザ端末２０は、基地局４０を特定する第１情報を管理サーバ１０に送信する（Ｓ１３）。
【００６３】
管理サーバ１０は、第１情報を受信し（Ｓ２１）、第１情報に基づいて、通信装置の設定に関する第２情報を取得する（Ｓ２２）。さらに、管理サーバ１０は、第２情報に基づいて、通信装置の設定ファイルを生成する（Ｓ２３）。その後、管理サーバ１０は、設定ファイルをユーザ端末２０に送信する（Ｓ２４）。
【００６４】
ユーザ端末２０は、設定ファイルを管理サーバ１０から受信する（Ｓ１４）。ユーザ端末２０は、入力に応じて、設定ファイルを通信装置に送信する（Ｓ１５）。その後、ユーザ端末２０は、通信装置から、設定ファイルが投入された通信装置のステータスを受信し、表示する（Ｓ１６）。以上により、設定処理が終了する。
【００６５】
本実施形態に係る管理サーバ１０及びユーザ端末２０によれば、現場の作業員が通信装置を設置する基地局４０を特定するだけで適切な設定ファイルを入手することができ、通信装置の設定に関するミスを減らすことができる。
【００６６】
図５は、本実施形態に係る管理サーバ１０とユーザ端末２０により実行される初期化処理のフローチャートである。はじめに、ユーザ端末２０によって、設定アプリケーションにログインする（Ｓ３１）。設定アプリケーションのログインは、ユーザ名及びパスワードを認証することにより行われてよい。
【００６７】
設定アプリケーションにログインした後、ユーザ端末２０は、基地局４０を特定する入力及び初期化のリクエストを受け付ける（Ｓ３２）。そして、ユーザ端末２０は、基地局４０を特定する第１情報及び初期化のリクエストを管理サーバ１０に送信する（Ｓ３３）。
【００６８】
管理サーバ１０は、第１情報及び初期化のリクエストを受信し（Ｓ４１）、第１情報及び初期化のリクエストに基づいて、通信装置の初期化に関する第３情報を取得する（Ｓ４２）。さらに、管理サーバ１０は、第３情報に基づいて、通信装置の初期化ファイルを生成する（Ｓ４３）。その後、管理サーバ１０は、初期化ファイルをユーザ端末２０に送信する（Ｓ４４）。
【００６９】
ユーザ端末２０は、初期化ファイルを管理サーバ１０から受信する（Ｓ３４）。ユーザ端末２０は、入力に応じて、初期化ファイルを通信装置に送信する（Ｓ３５）。その後、ユーザ端末２０は、通信装置から、初期化ファイルが投入された通信装置のステータスを受信し、表示する（Ｓ３６）。以上により、初期化処理が終了する。
【００７０】
本実施形態に係る管理サーバ１０及びユーザ端末２０によれば、現場の作業員が通信装置を設置する基地局４０を特定し、初期化の希望を入力するだけで適切な初期化ファイルを入手することができ、通信装置の初期化に関するミスを減らすことができる。
【００７１】
図６は、本実施形態に係るユーザ端末２０により実行される設定アプリケーションの第１画面例である。第１画面例は、設定アプリケーションにログインした場合に最初に表示される画面の一例を示している。第１画面例には、「Direct Config」という設定アプリケーションの仮称が表示され、「configを取得」と記載された第１ボタンＢ１、「機器設定実施」と記載された第２ボタンＢ２及び「その他」と記載された第３ボタンＢ３が表示されている。
【００７２】
第１ボタンＢ１をタップすると、管理サーバ１０から設定ファイルをダウンロードするための第２画面に遷移する。また、第２ボタンＢ２をタップすると、通信装置に設定ファイルをインストールするための第３画面に遷移する。第３ボタンＢ３をタップすると、通信装置との接続確認等を行うための第５画面に遷移する。
【００７３】
図７は、本実施形態に係るユーザ端末２０により実行される設定アプリケーションの第２画面例である。第２画面例は、第１画面例において第１ボタンＢ１をタップした場合に表示される画面の一例を示している。第２画面例には、「保存コンフィグ一覧」と表示され、「設定ファイルＡ．ｃｆｇ」から「設定ファイルＥ．ｃｆｇ」までの設定ファイルＦ１と、「初期化ファイルＡ．ｃｆｇ」から「初期化ファイルＥ．ｃｆｇ」までの初期化ファイルＦ２と、「システムから取得」と記載された第１１ボタンＢ１１と、「保存ファイルを削除」と記載された第１２ボタンＢ１２と、「戻る」と記載された第１３ボタンＢ１３とが表示されている。
【００７４】
「設定ファイルＡ．ｃｆｇ」から「設定ファイルＥ．ｃｆｇ」までの設定ファイルＦ１は、異なる基地局４０に対応した通信装置の設定ファイルであり、ユーザ端末２０に既に保存されている設定ファイルを示している。同様に、「初期化ファイルＡ．ｃｆｇ」から「初期化ファイルＥ．ｃｆｇ」までの初期化ファイルＦ２は、異なる基地局４０に対応した通信装置の初期化ファイルであり、ユーザ端末２０に既に保存されている初期化ファイルを示している。
【００７５】
一覧表示に含まれていない基地局に関する設定ファイル又は初期化ファイルを取得する場合、第１１ボタンＢ１１をタップして、管理サーバ１０にアクセスし、所望の設定ファイル又は初期化ファイルをダウンロードする。また、不要となった設定ファイル又は初期化ファイルを削除する場合には、削除したい設定ファイル又は初期化ファイルを選択し、第１２ボタンＢ１２をタップする。第１３ボタンＢ１３をタップすると、第１画面例に戻る。
【００７６】
図８は、本実施形態に係るユーザ端末２０により実行される設定アプリケーションの第３画面例である。第３画面例は、第１画面例において第２ボタンＢ２をタップした場合に表示される画面の一例を示している。第３画面例には、「保存コンフィグ一覧」と表示され、「設定ファイルＡ．ｃｆｇ」から「設定ファイルＥ．ｃｆｇ」までの設定ファイルＦ１と、「初期化ファイルＡ．ｃｆｇ」から「初期化ファイルＥ．ｃｆｇ」までの初期化ファイルＦ２と、「戻る」と記載された第２１ボタンＢ２１とが表示されている。
【００７７】
「設定ファイルＡ．ｃｆｇ」から「設定ファイルＥ．ｃｆｇ」までの設定ファイルＦ１のいずれかをタップすると、選択された設定ファイルを通信装置にインストールする処理が始まる。同様に、「初期化ファイルＡ．ｃｆｇ」から「初期化ファイルＥ．ｃｆｇ」までの初期化ファイルＦ２のいずれかをタップすると、選択された初期化ファイルを通信装置にインストールする処理が始まる。設定ファイルＦ１又は初期化ファイルＦ２をタップすると、次図に示す第４画面に遷移する。なお、第２１ボタンＢ２１をタップすると、第１画面例に戻る。
【００７８】
図９は、本実施形態に係るユーザ端末２０により実行される設定アプリケーションの第４画面例である。第４画面例は、第３画面例において設定ファイルＦ１又は初期化ファイルＦ２をタップし、設定ファイルＦ１又は初期化ファイルＦ２を通信装置にインストールする場合に表示される画面の一例を示している。第４画面例には、「Ｃｏｎｆｉｇ投入状況」と表示され、設定ファイル又は初期化ファイルのテキストＴＸと、選択した設定ファイル又は初期化ファイルを通信装置にインストールする処理を開始するための「ＯＫ」と記載された第２２ボタンＢ２２が表示されている。
【００７９】
設定ファイル又は初期化ファイルのテキストＴＸが意図したものであり、通信装置への設定ファイル又は初期化ファイルのインストールを開始する場合、第２２ボタンＢ２２をタップする。これにより、通信装置に設定ファイル又は初期化ファイルがインストールされ、設定又は初期化が行われる。
【００８０】
図１０は、本実施形態に係るユーザ端末２０により実行される設定アプリケーションの第５画面例である。第５画面例は、第１画面例において「その他」と記載された第３ボタンＢ３をタップした場合に表示される画面の例であり、「その他メニュー」と表示され、「ＲＥＸ−ＷＦ６０接続確認」と記載された第３１ボタンＢ３１と、「ＣＬＩモード」と記載された第３２ボタンＢ３２と、「ＵＲＬ変更」と記載された第３３ボタンＢ３３と、「戻る」と記載された第３４ボタンＢ３４とが表示されている。
【００８１】
第３１ボタンＢ３１をタップすると、ユーザ端末２０とＬ２スイッチ４２等の通信装置との接続確認が行われる。本例では、ユーザ端末２０は、変換器５０を介してＬ２スイッチ４２と通信する。
【００８２】
第３２ボタンＢ３２をタップすると、ＣＬＩ（Command Line Interface）によってコマンドを直接入力し、実行するモードに遷移する。また、第３３ボタンＢ３３をタップすると、第２画面例に示した第１１ボタンＢ１１をタップした際に参照するＵＲＬ（Uniform Resource Locator）を変更するモードに遷移する。第３４ボタンＢ３４をタップすると、第１画面例に戻る。
【００８３】
図１１は、本実施形態に係る管理サーバ１０により実行される確認処理のフローチャートである。同図に示す処理は、図４に示す処理のうち管理サーバ１０によって実行される処理の変形例である。
【００８４】
はじめに、管理サーバ１０は、ユーザ端末２０から第１情報を受信する（Ｓ２１）。そして、管理サーバ１０は、第１情報に基づいて、通信装置の設定に関する第２情報を取得する（Ｓ２２）。さらに、管理サーバ１０は、第２情報に基づいて、通信装置の設定ファイルを生成する（Ｓ２３）。
【００８５】
ここで、管理サーバ１０は、設定に係る基地局４０が既存局であるか否かを判定する（Ｓ２３１）。設定に係る基地局４０が既存局でない場合（Ｓ２３１：ＮＯ）、管理サーバ１０は、設定ファイルをユーザ端末２０に送信する（Ｓ２４）。
【００８６】
一方、設定に係る基地局４０が既存局である場合（Ｓ２３１：ＹＥＳ）、管理サーバ１０は、通信装置の設定が重複していないか確認し（Ｓ２３２）、重複している場合（Ｓ２３２：ＹＥＳ）、管理サーバ１０は、設定ファイルをユーザ端末２０に送信せず、警告をユーザ端末２０に送信する。
【００８７】
また、通信装置の設定が重複していない場合（Ｓ２３２：ＮＯ）、管理サーバ１０は、基地局４０のトラフィックが少ないか否かに基づいて、基地局４０が廃止されているか否かを判定する（Ｓ２３３）。基地局４０が廃止されていると判定される場合（Ｓ２３３：ＹＥＳ）、管理サーバ１０は、設定ファイルをユーザ端末２０に送信せず、警告をユーザ端末２０に送信する。基地局４０が廃止されていないと判定される場合（Ｓ２３３：ＮＯ）、管理サーバ１０は、設定ファイルをユーザ端末２０に送信する。
【００８８】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００８９】
１０…管理サーバ、１１…送受信部、１２…記憶部、１３…入力部、１４…出力部、１５…演算部、１５ａ…取得部、１５ｂ…生成部、１５ｃ…判定部、１５ｄ…確認部、２０…ユーザ端末、２１…第１送受信部、２２…記憶部、２３…入力部、２４…出力部、２５…演算部、２６…第２送受信部、３０…ＭＳＡＮ、４０…基地局、４１…光回線終端装置、４２…Ｌ２スイッチ、５０…変換器、１００…管理システム
【図１】
2020120149.tif 000003
【図２】
2020120149.tif 000004
【図３】
2020120149.tif 000005
【図４】
2020120149.tif 000006
【図５】
2020120149.tif 000007
【図６】
2020120149.tif 000008
【図７】
2020120149.tif 000009
【図８】
2020120149.tif 000010
【図９】
2020120149.tif 000011
【図１０】
2020120149.tif 000012
【図１１】
2020120149.tif 000013